(57)【要約】【課題】  筺体を載置面上に安定した状態で良好に配置することができる投影装置を提供する。【解決手段】  投影部４を備えた筺体１と、この筺体１に取り付けられ、筺体１を載置面Ｔ上に第１の傾斜角度θ１で横向きに配置し、かつ筺体１を載置面Ｔの上方に浮かせた状態で筺体１を載置面Ｔに対して第２の傾斜角度θ２で縦向きに配置する保持部材６と、を備えている。従って、筺体１を載置面Ｔ上に第１の傾斜角度θ１で横向きに配置する際に、保持部材６によって筺体１を載置面Ｔ上に安定した状態で良好に配置させることができ、また筺体１を載置面Ｔに対して第２の傾斜角度θ２で縦向きに配置する際に、保持部材６によって筺体１を載置面Ｔの上方に浮かせて安定した状態で良好に配置させることができる。【選択図】        図６
2018101044.tif 000002
【特許請求の範囲】
【請求項１】
光を放射する光源部を備えた筺体と、
前記筺体に取り付けられ、前記筺体を載置面上に第１の傾斜角度で横向きに配置し、かつ前記筺体を前記載置面の上方に浮かせた状態で前記筺体を前記載置面に対して第２の傾斜角度で縦向きに配置する保持部材と、
を備えていることを特徴とする投影装置。
【請求項２】
請求項１に記載の投影装置において、前記光源部は、前記筺体内に設けられて画像を投影する投影部の光源であり、前記投影部は、前記筺体が前記載置面上に前記保持部材によって前記第１の傾斜角度で横向きに配置された際に、前記載置面とほぼ直交する垂直面に画像を投影し、前記筺体が前記載置面の上方に前記保持部材によって前記第２の傾斜角度で縦向きに配置された際に、前記載置面とほぼ平行な面に画像を投影することを特徴とする投影装置。
【請求項３】
請求項２に記載の投影装置において、前記筺体に設けられて前記投影部を開閉可能に覆う蓋体を備え、前記蓋体を開いた状態で前記投影部の画像を前記蓋体の開放側に向けて投影させることを特徴とする投影装置。
【請求項４】
請求項１〜請求項３のいずれかに記載の投影装置において、前記保持部材は、前記筺体に回転可能に取り付けられた第１の保持部と、前記第１の保持部に回転可能に取り付けられた第２の保持部と、を備え、前記第１の保持部と前記第２の保持部とが前記光源部の光放射方向と反対側に位置する前記筺体の裏面に並んで配置されることを特徴とする投影装置。
【請求項５】
請求項４に記載の投影装置において、前記保持部材は、前記第１の保持部を前記筺体に対し所定角度回転させて前記載置面上に配置させることにより、前記筺体を前記載置面に対して前記第１の傾斜角度で横向きに配置させ、かつ前記第１の保持部を前記第２の保持部と前記筺体とに対しそれぞれ所定角度回転させて、前記第２の保持部を前記筺体に対し所定角度傾けた状態で前記載置面上に配置させることにより、前記筺体を前記載置面の上方に浮かせた状態で前記第２の傾斜角度で縦向きに配置させることを特徴とする投影装置。
【請求項６】
請求項４または請求項５に記載の投影装置において、前記保持部材は、前記筺体を前記第１の傾斜角度で横向きに配置させた際に、前記第２の保持部を前記筺体の裏面に係止させる係止部と、前記筺体を前記載置面上に前記第２の傾斜角度で縦向きに配置させた際に、前記筺体に対する前記第１の保持部の回転角度を規制する第１の規制部と、前記第１の保持部に対する前記第２の保持部の回転角度を規制する第２の規制部と、を備えていることを特徴とする投影装置。
【請求項７】
請求項６に記載の投影装置において、前記第１の保持部は平板状の第１のバッテリユニットを含み、前記第２の保持部は平板状の第２のバッテリユニットを含むことを特徴とする投影装置。
【発明の詳細な説明】
【技術分野】
【０００１】
この発明は、筺体と保持部材とを備えた投影装置に関する。
【背景技術】
【０００２】
例えば、投影装置においては、特許文献１に記載されているように、投影部を備えた長方形の箱状に形成された筺体を卓上などの載置面上に横向きに配置して投影画像を載置面上と直交する壁やスクリーンなどの垂直面に投影し、かつ筺体を載置面上に縦向きに配置して投影画像を載置面と同じ水平面上に投影するように構成されたものが知られている。
【先行技術文献】
【特許文献】
【０００３】
【特許文献１】特開２０１１−１５８５２２号公報
【０００４】
この種の投影装置は、筺体を載置面上に縦向きに配置して投影画像を載置面上に投影する際に、載置面から投影部までの高さを高くして投影画像の投影面積を広くするために、筺体内にスライド機構を設け、このスライド機構によって投影部を筺体の長手方向である上下方向にスライドさせるように構成されている。
【発明の概要】
【発明が解決しようとする課題】
【０００５】
しかしながら、このような投影装置では、投影部による投影画像を載置面上に投影する際に、筺体を載置面上に縦向きに配置し、この状態でスライド機構によって投影部を上方にスライドさせる構成であるから、筺体が縦方向つまり上下方向に長くなるため、筺体が倒れ易くなり、筺体を載置面上に安定した状態で良好に配置することができないという問題がある。
【０００６】
この発明が解決しようとする課題は、筺体を載置面上に安定した状態で良好に配置することができる投影装置を提供することである。
【課題を解決するための手段】
【０００７】
この発明は、光を放射する光源部を備えた筺体と、前記筺体に取り付けられ、前記筺体を載置面上に第１の傾斜角度で横向きに配置し、かつ前記筺体を前記載置面の上方に浮かせた状態で前記筺体を前記載置面に対して第２の傾斜角度で縦向きに配置する保持部材と、を備えていることを特徴とする投影装置である。
【発明の効果】
【０００８】
この発明によれば、筺体を載置面上に第１の傾斜角度で横向きに配置する際に、保持部材によって筺体を載置面上に安定した状態で良好に配置させることができ、また筺体を載置面に対して第２の傾斜角度で縦向きに配置する際に、保持部材によって筺体を載置面の上方に浮かせて安定した状態で良好に配置させることができる。
【図面の簡単な説明】
【０００９】
【図１】この発明を投影装置に適用した一実施形態を示し、（ａ）は、その表面を示した斜視図、（ｂ）はその裏面を示した斜視図である
【図２】図１に示された投影装置を示し、（ａ）は筺体の蓋体を開いた状態を示した斜視図、（ｂ）は（ａ）の投影装置を縦向きに配置させて裏面側から見た斜視図である。
【図３】図２（ｂ）に示された投影装置において、前側から見た要部の拡大斜視図である。
【図４】図２（ａ）に示された投影装置を横向きに配置する状態を示し、（ａ）はその投影装置を斜め下側から見た斜視図、（ｂ）はその投影装置を載置面上に配置して側方から見た側面図である。
【図５】図２（ｂ）に示された投影装置を縦向きに配置する状態を示し、（ａ）はその投影装置を斜め上側から見た斜視図、（ｂ）はその投影装置を載置面の上方に配置して側方から見た側面図である。
【図６】図２に示された投影装置の投影部による投影画像を示し、（ａ）は投影装置を横向きに配置して垂直面に投影された画像を示した図、（ｂ）は投影装置を縦向きに配置して水平面に投影された画像を示した図である。
【発明を実施するための形態】
【００１０】
以下、図１〜図６を参照して、この発明を投影装置に適用した一実施形態について説明する。
この投影装置は、図１および図２に示すように、筺体１と筺体保持装置２とを備えている。筐体１は、ほぼ長方形で厚みの薄い箱形状に形成されている。この筐体１の表面（図１（ａ）では上面）における一端部側（図１（ａ）では右端部側）には、蓋体３が開閉可能に設けられている。
【００１１】
この蓋体３は、図１および図２に示すように、その一端部（図２（ａ）では右端部）が筐体１の表面における一端部（図２（ａ）では右端部）に回転可能に取り付けられ、蓋体３の他端部側（図２（ａ）では左端部側）が筐体１の表面から離れる方向に所定角度だけ回転して開き、閉じた際に筐体１の表面と同一面上に配置されるように構成されている。すなわち、この蓋体３は、その一端部を中心に他端部側が所定角度、例えば約４５度の角度に開くように構成されている。
【００１２】
この蓋体３で覆われる筐体１の内部には、図２（ａ）に示すように、投影部４が設けられている。この投影部４は、画像を投影するものであり、光源部（図示せず）を備え、この光源部の光によって画像光を投影させるように構成されている。この投影部４は、蓋体３を開いた状態で、画像光が蓋体３の内面に設けられた凹面状の第１反射板（図示せず）で反射され、この反射された画像光が筐体１内に設けられた第２反射板５で反射され、この反射された画像光が蓋体３の開放側から拡散されて放射されるように構成されている。
【００１３】
すなわち、この投影部４は、図２（ａ）および図２（ｂ）に示すように、蓋体３がその一端部を中心に所定角度、例えば約４５度の角度で開くことにより、蓋体３の開放側から筺体１の表面側における斜め上方（図２（ｂ）では斜め前方）に向けて画像光が放射されるように構成されている。
【００１４】
一方、筐体保持装置２は、図１〜図５に示すように、保持部材６を備えている。この保持部材６は、筺体１を載置面Ｔ上に第１の傾斜角度θ１で横向きに配置し、かつ筺体１を載置面Ｔの上方に浮かせた状態で筺体１を載置面Ｔに対して第２の傾斜角度θ２で縦向きに配置させるように構成されている。
【００１５】
すなわち、この保持部材６は、図１および図２に示すように、筺体１の裏面、つまり蓋体３と反対側に位置する筐体１の裏面に取り付けられている。この保持部材６は、筺体１に回転可能に取り付けられた第１の保持部である第１バッテリユニット７と、この第１バッテリユニット７に回転可能に取り付けられた第２の保持部である第２バッテリユニット８と、を備えている。
【００１６】
第１バッテリユニット７は、図１および図２に示すように、蓋体３と反対側に位置する筐体１の裏面における長手方向の長さのほぼ半分程度の大きさの平板状に形成されている。この第１バッテリユニット７は、その一端部（図１（ｂ）では左端部）が筐体１の裏面における一端部（図１（ｂ）では左端部）に第１ヒンジ部１０によって回転可能に取り付けられている。
【００１７】
この場合、第１ヒンジ部１０は、図１（ｂ）に示すように、第１バッテリユニット７の一端部の両側に設けられた一対の第１突起部１０ａと、筺体１に設けられて一対の第１突起部１０ａ間に配置される第１連結部１０ｂと、この第１連結部１０ｂと一対の第１突起部１０ａとを回転可能に取り付ける第１連結軸１０ｃと、を備えている。これにより、第１バッテリユニット７は、筺体１に対して第１連結軸１０ｃを中心に回転するように構成されている。
【００１８】
第２バッテリユニット８は、図１および図２に示すように、第１バッテリユニット７と同様、筐体１の裏面における長手方向の長さのほぼ半分程度の大きさの平板状に形成されている。この第２バッテリユニット８は、その一端部（図１（ｂ）では左端部）が第１バッテリユニット７の他端部（図１（ｂ）では右端部）に第２ヒンジ部１１によって回転可能に取り付けられている。
【００１９】
この場合にも、第２ヒンジ部１１は、図１（ｂ）に示すように、第１ヒンジ部１０と同様、第２バッテリユニット８の一端部の両側に設けられた一対の第２突起部１１ａと、第１バッテリユニット７の他端部に設けられて一対の第２突起部１１ａ間に配置される第２連結部１１ｂと、この第２連結部１０ｂと一対の第２突起部１１ａとを回転可能に取り付ける第２連結軸１１ｃと、を備えている。これにより、第２バッテリユニット８は、第１バッテリユニット７に対して第２連結軸１１ｃを中心に回転するように構成されている。
【００２０】
この場合、第１バッテリユニット７と第２バッテリユニット８とは、図１（ｂ）に示すように、その両者がほぼ同じ大きさに形成され、筺体１の裏面にそれとほぼ同じ大きさで重なり合うように並んで配置されるように構成されている。また、第１バッテリユニット７は、第１ヒンジ部１０を介して筐体１内の回路部（図示せず）に電気的に接続されている。
【００２１】
第２バッテリユニット８は、図１（ｂ）に示すように、第２ヒンジ部１１を介して第１バッテリユニット７に電気的に接続されていても良く、また第２ヒンジ部１１、第１バッテリユニット７、および第１ヒンジ部１０を介して筐体１内の回路部に電気的に接続されていても良い。これにより、第１バッテリユニット７と第２バッテリユニット８とは、筐体１内の回路部に電源を供給するように構成されている。
【００２２】
これら第１バッテリユニット７と第２バッテリユニット８とで構成される保持部材６は、図４（ａ）および図４（ｂ）に示すように、第１バッテリユニット７を載置面Ｔ上に配置させて筺体１を載置面Ｔに対し第１の傾斜角度θ１で横向きに配置させた際に、投影部４が載置面Ｔと直交する壁やスクリーンなどの垂直面Ｓに画像を投影させるように構成されている。
【００２３】
すなわち、この保持部材６は、図４（ａ）および図４（ｂ）に示すように、第１ヒンジ部１０を中心に第１バッテリユニット７を筺体１の裏面から離れる方向に所定角度、例えば約１６度の角度、回転させて、第１バッテリユニット７を載置面Ｔ上に配置させることにより、筺体１を載置面Ｔに対して第１の傾斜角度θ１、例えば約１６度の角度で傾けた状態で横向きに配置させるように構成されている。
【００２４】
また、この保持部材６は、図４（ａ）および図４（ｂ）に示すように、第１ヒンジ部１０を中心に第１バッテリユニット７を筺体１の裏面から離れる方向に所定角度、例えば約１６度の角度、回転させる際に、第２バッテリユニット８の先端部８ａを筺体１の裏面に接触させた状態で、第２ヒンジ部１１を中心に第２バッテリユニット８を第１バッテリユニット７に対して回転させることにより、第２バッテリユニット８の先端部８ａが筺体１の裏面に沿って移動するように構成されている。
【００２５】
この場合、第２バッテリユニット８の先端部８ａには、図１（ｂ）に示すように、第１バッテリユニット７と第２バッテリユニット８とを回転させる際に、指先を引っ掛けるための引掛け部１２が設けられている。また、筺体１の裏面には、図２（ｂ）に示すように、第２バッテリユニット８の先端部８ａを係止する係止部１３が設けられている。この係止部１３は、筺体１の裏面にその長手方向と直交する方向に沿って設けられた溝部であるが、突起部であっても良い。
【００２６】
これにより、保持部材６は、図４（ａ）および図４（ｂ）に示すように、第２バッテリユニット８の先端部８ａが筺体１の係止部１３に係止された際に、第１バッテリユニット７に対する第２バッテリユニット８の回転角度が規制され、この第２バッテリユニット８によって第１バッテリユニット７の回転角度が規制されることにより、第１バッテリユニット７が筺体１の裏面に対して第１の傾斜角度θ１で保持されるように構成されている。
【００２７】
このため、投影部４は、図４（ａ）および図４（ｂ）に示すように、蓋体３が開放された状態で、画像光が蓋体３の開放側から放射される際に、筺体１の表面側における斜め上方に向けて画像光を放射させて、載置面Ｔと直交する壁やスクリーンなどの垂直面Ｓ上に画像を投影させるように構成されている。
【００２８】
一方、この保持部材６は、図５（ａ）および図５（ｂ）に示すように、第２バッテリユニット８を載置面Ｔ上に配置させた状態で、第１バッテリユニット７を第２バッテリユニット８と筺体１とに対してそれぞれ回転させて傾けることにより、筺体１を載置面Ｔの上方に浮かせた状態で第２の傾斜角度θ２で縦向きに配置させるように構成されている。
【００２９】
すなわち、この保持部材６は、図５（ａ）および図５（ｂ）に示すように、第１ヒンジ部１０を中心に第１バッテリユニット７を筺体１の裏面に対して所定角度、例えば約２５０度の角度、回転させ、この状態で第２ヒンジ部１１を中心に第２バッテリユニット８を第１バッテリユニット７に対して所定角度、例えば約１４０度の角度、回転させ、この状態で第２バッテリユニット８を載置面Ｔ上に配置させると、筺体１が載置面Ｔの上方に浮いた状態で前側（図５（ｂ）では左側）に第２の傾斜角度θ２、例えば約１６度の角度、傾いて縦向きに配置されるように構成されている。
【００３０】
この場合、第１ヒンジ部１０に対する筺体１の端面には、図１（ａ）および図３に示すように、筺体１に対する第１バッテリユニット７の回転角度を規制する第１規制部１４が設けられている。また、第２ヒンジ部１１に対応する第１バッテリユニット７の端部には、図１（ｂ）および図２（ｂ）に示すように、第２バッテリユニット８に対する第１バッテリユニット７の回転角度を規制する第２規制部１５が設けられている。
【００３１】
これにより、保持部材６は、図５（ａ）および図５（ｂ）に示すように、第１ヒンジ部１０を中心に第１バッテリユニット７を約２５０度回転させると、第１バッテリユニット７が筺体１の第１規制部１４に当接して回転位置が規制されるように構成されている。また、この保持部材６は、第２ヒンジ部１１を中心に第２バッテリユニット８を第１バッテリユニット７に対して約１４０度回転させると、第２バッテリユニット８が第１バッテリユニット７の第２規制部１５に当接して回転位置が規制されるように構成されている。
【００３２】
このため、この保持部材６は、図５（ａ）および図５（ｂ）に示すように、第１バッテリユニット７が筺体１の第１規制部１４に当接して回転位置が規制され、第２バッテリユニット８が第１バッテリユニット７の第２規制部１５に当接して回転位置が規制され、この状態で第２バッテリユニット８が載置面Ｔ上に配置されるように構成されている。
【００３３】
これにより、保持部材６は、図５（ａ）および図５（ｂ）に示すように、筺体１を載置面Ｔの上方に浮かせた状態で、筺体１を前側に第２の傾斜角度θ２、例えば約１６度の角度、傾けて縦向きに配置させるように構成されている。この場合、投影部４は、蓋体３が開放された状態で、画像光が蓋体３の開放側から放射される際に、筺体１の表面側における斜め前方に向けて画像光を放射させて、載置面Ｔと同じ水平面上（載置面Ｔとほぼ平行な面上）に画像を投影させるように構成されている。
【００３４】
ところで、第１ヒンジ部１０に対する筺体１の端面には、図１（ａ）および図３に示すように、第１バッテリユニット７が筺体１の第１規制部１４に当接して回転位置が規制された際に、第１バッテリユニット７によってスイッチ動作するスイッチ部１６が設けられている。このスイッチ部１６は、投影部４による投影画像の向きおよび焦点距離を筺体１の横向き状態と縦向き状態とで切り替えるためのものである。
【００３５】
すなわち、投影部４は、図６（ａ）および図６（ｂ）に示すように、筺体１の横向き状態と縦向き状態とで投影画像が上下左右に逆転すると共に、投影画像の焦点距離が異なるように構成されている。このため、この投影部４は、筺体１の横向き状態のときに、壁やスクリーンなどの垂直面Ｓに画像を投影するので、筺体１の縦向き状態のときに、卓上なその載置面Ｔ上に画像を投影する場合より投影距離が長い。従って、上下左右に大きく投影し、例えば各対角線ＡＤ・ＢＣを長く表示するように構成されている。
【００３６】
また、この投影部４は、筺体１の縦向き状態のときに、図６（ｂ）に示すように、卓上などの載置面Ｔ上に画像を上下左右逆転して筺体１の横向き状態のときよりも小さく投影し、例えば各対角線ＤＡ・ＣＢを反転させて短く表示するように構成されている。すなわち、筺体１の縦向き状態のときには、投影画像の上辺（ＡＢ）側が筺体１を保持する保持部材の前端部に位置する第２ヒンジ部１１に接近する位置で、各対角線ＤＡ・ＣＢが反転して表示される。
【００３７】
次に、このような投影装置の作用について説明する。
この投影装置を使用しない場合には、図１（ａ）に示すように、蓋体３を閉じて投影部４を覆い隠す。この状態では、蓋体３の表面が筺体１の表面と同一面上に配置される。また、このときには、図１（ｂ）に示すように、保持部材６の第１バッテリユニット７と第２バッテリユニット８とを筺体１の裏面に並べて配置させて重ね合わせる。これにより、投影装置全体がスリムな形状になり、良好に携帯することができる。
【００３８】
この投影装置を使用する場合には、まず、図２（ａ）に示すように、蓋体３を開く。このときには、蓋体３の一端部を中心に蓋体３を回転させて蓋体３の他端部を開放させる。この状態で、投影部４が駆動されると、画像光が蓋体３の内面に設けられた凹部状の第１反射板（図示せず）で反射され、この反射された画像光が筺体１内の第２反射板５で反射され、この反射された画像光が蓋体３の開放側から筺体１の表面側における斜め上方に向けて放射される。
【００３９】
この状態で、例えば、壁やスクリーンなどの垂直面Ｓに投影部４の画像を投影する場合には、筺体１を卓上などの載置面Ｔ上に横向きに配置する。このときには、図４（ａ）および図４（ｂ）に示すように、筺体保持装置２の保持部材６によって筺体１を載置面Ｔ上に第１の傾斜角度θ１（約１６度の角度）で傾けた状態で横向きに配置する。
【００４０】
すなわち、このときには、保持部材６の第２バッテリユニット８の先端部８ａに設けられた引掛け部１２に指を引っ掛けて、第２バッテリユニット８の先端部８ａを筺体１の裏面に接触させた状態で、第１バッテリユニット７における第１ヒンジ部１０を中心に第１バッテリユニット７を筺体１の裏面から離れる方向に回転させると共に、第２ヒンジ部１１を中心に第２バッテリユニット８を第１バッテリユニット７に対して回転させる。
【００４１】
すると、第２バッテリユニット８の先端部８ａが筺体１の裏面に沿って移動して、この第２バッテリユニット８の先端部８ａが筺体１の係止部１３に係止される。これにより、第２バッテリユニット８が第１バッテリユニット７に対して回転角度が規制されると共に、この第２バッテリユニット８によって第１バッテリユニット７の回転角度が規制されるので、第１バッテリユニット７が筺体１の裏面に対して第１の傾斜角度θ１で傾斜した状態で筺体１の裏面に保持される。
【００４２】
この状態で、第１バッテリユニット７を載置面Ｔ上に配置すると、筺体１が載置面Ｔ上に第１の傾斜角度θ１で傾いた状態で横向きに配置される。このため、投影部４の画像光が筺体１の表面側における斜め上方に向けて放射され、この放射された画像が壁やスクリーンなどの垂直面Ｓに投影される。この投影された画像は、図６（ａ）に示すように、その上辺側がＡＢで下辺側がＣＤで各対角線ＡＤ・ＢＣで表示される。
【００４３】
一方、卓上などの載置面Ｔと同じ水平面上に投影部４の画像を投影する場合には、筺体１を載置面Ｔ上に対して縦向きに配置する。このときには、図５（ａ）および図５（ｂ）に示すように、筺体保持装置２の保持部材６によって筺体１を載置面Ｔの上方に浮かせた状態で、筺体１を第２の傾斜角度θ２（約１６度の角度）で前側（図５（ｂ）では左側）に傾けて縦向きに配置する。
【００４４】
すなわち、このときには、保持部材６の第２バッテリユニット８の先端部８ａに設けられた図２（ｂ）に示す引掛け部１２に指を引っ掛けて、第１バッテリユニット７における第１ヒンジ部１０を中心に第１バッテリユニット７を筺体１の裏面から離れる方向に所定角度、例えば約２５０度の角度、回転させると共に、第２ヒンジ部１１を中心に第２バッテリユニット８を第１バッテリユニット７に対して所定角度、例えば約１４０度の角度、回転させる。
【００４５】
この場合には、第１ヒンジ部１０を中心に第１バッテリユニット７が筺体１の裏面に対して約２５０度回転すると、第１バッテリユニット７が筺体１の第１規制部１４に当接して回転位置が規制される。また、第２ヒンジ部１１を中心に第２バッテリユニット８が第１バッテリユニット７に対して約１４０度回転すると、第２バッテリユニット８が第１バッテリユニット７の第２規制部１５に当接して回転位置が規制される。
【００４６】
この状態で、第２バッテリユニット８を載置面Ｔ上に配置させると、図５（ａ）および図５（ｂ）に示すように、筺体１が載置面Ｔの上方に浮いた状態で前側（図５（ｂ）では左側）に第２の傾斜角度θ２、例えば約１６度の角度、傾いて縦向きに配置される。このため、投影部４の画像光が筺体１の表面側における斜め前方に向けて放射され、この放射された画像が保持部材６の第２ヒンジ部１１に重なり合うことなく、第２ヒンジ部１１の前方に位置する載置面Ｔと同じ水平面上に投影される。
【００４７】
また、このときには、筺体１の端部に設けられたスイッチ部１６が第１バッテリユニット７によってスイッチ動作する。このため、投影部４による投影画像の向きおよび焦点距離が筺体１の横向き状態から筺体１の縦向き状態に自動的に切り替わる。すなわち、筺体１が縦向き状態のときには、載置面Ｔと同じ水平面上に投影された画像が筺体１の横向き状態のときに対して上下左右逆転して小さく投影される。
【００４８】
例えば、投影部４によって載置面Ｔと同じ水平面上に投影された画像は、図６（ｂ）に示すように、筺体１の横向き状態で壁やスクリーンなどの垂直面Ｓに投影された画像に対して、各対角線ＤＡ・ＣＢが反転されて短い長さで表示される。このため、使用者は、投影画像を挟んで筺体１と反対側から載置面Ｔと同じ水平面上に投影された画像を良好に見ることができる。
【００４９】
このように、この投影装置によれば、投影部４を備えた筺体１と、この筺体１に取り付けられて、筺体１を載置面Ｔ上に第１の傾斜角度θ１で横向きに配置し、かつ筺体１を載置面Ｔの上方に浮かせた状態で筺体１を載置面Ｔに対して第２の傾斜角度θ２で縦向きに配置する保持部材６と、を備えている。従って、常に筺体１を載置面Ｔ上に安定した状態で良好に配置することができる。
【００５０】
すなわち、この投影装置では、筺体１を載置面Ｔ上に第１の傾斜角度θ１で横向きに配置する際に、保持部材６によって筺体１を載置面Ｔ上に安定した状態で良好に配置させることができ、また筺体１を載置面Ｔに対して第２の傾斜角度θ２で縦向きに配置する際に、保持部材６によって筺体１を載置面Ｔの上方に浮かせて安定した状態で良好に配置させることができる。
【００５１】
この場合、投影部４は、筺体１が載置面Ｔ上に保持部材６によって第１の傾斜角度θ１で横向きに配置された際に、載置面Ｔとほぼ直交する垂直面Ｓに画像を確実にかつ鮮明に投影することができ、また筺体１が載置面Ｔの上方に保持部材６によって第２の傾斜角度θ２で縦向きに配置された際に、載置面Ｔと同じ水平面に画像を確実にかつ鮮明に投影することができる。
【００５２】
また、この投影装置では、筺体１に設けられて投影部４を開閉可能に覆う蓋体３を備え、この蓋体３を開いた状態で投影部４の画像を蓋体３の開放側から投影させることにより、蓋体３を開いた状態で投影部４の画像を良好に投影させることができ、また蓋体３を閉じることにより、投影部４を確実にかつ良好に保護することができると共に、装置全体のコンパクト化を図ることができる。
【００５３】
すなわち、投影部４は、蓋体３を開いた際に、この蓋体３の内面に設けられた第１反射板（図示せず）で画像光が反射され、この反射された画像光が筺体１内に設けられた第２反射板５で反射されることにより、蓋体３の開放側から画像光を確実にかつ良好に放射させることができる。この場合、蓋体３は、これを閉じて投影部４を覆い隠した際に、蓋体３の表面を筺体１の表面と同一面上に配置することができるので、装置全体をスリムな形状にして、良好に携帯することができる。
【００５４】
また、この投影装置では、保持部材６が、筺体１に回転可能に取り付けられた第１の保持部である第１バッテリユニット７と、この第１バッテリユニット７に回転可能に取り付けられた第２の保持部である第２バッテリユニット８と、を備え、第１バッテリユニット７と第２バッテリユニット８とが投影部４の投影方向と反対側に位置する筺体１の裏面に並んで配置されることにより、第１バッテリユニット７と第２バッテリユニット８とで筺体１を保持するスタンドの機能をもたせることができ、かつ装置全体を構成することができると共に、携帯性の向上を図ることができる。
【００５５】
すなわち、この投影装置では、第１バッテリユニット７が筐体１の裏面のほぼ半分程度の大きさの平板状に形成され、その一端部が筐体１の裏面の一端部に第１ヒンジ部１０によって回転可能に取り付けられ、第２バッテリユニット８が筐体１の裏面のほぼ半分程度の大きさの平板状に形成され、その一端部が第１バッテリユニット７の他端部に第２ヒンジ部１１によって回転可能に取り付けられていることにより、第１バッテリユニット７と第２バッテリユニット８とを平面的に並べて筺体１の裏面に重ね合わせて配置することができるので、より一層のコンパクト化を図ることができる。
【００５６】
また、この投影装置では、保持部材６の第１バッテリユニット７を筺体１に対し所定角度、例えば約１６度の角度だけ回転させて載置面Ｔ上に配置させることにより、筺体１を載置面Ｔに対し第１の傾斜角度θ１（約１６度の角度）で横向きに配置させることができるので、筺体１を載置面Ｔに対して第１の傾斜角度θ１で傾けた状態で、保持部材６によって筺体１を載置面Ｔ上に安定した状態で確実にかつ良好に配置させることができる。
【００５７】
また、この投影装置では、保持部材６の第１バッテリユニット７を第２バッテリユニット８と筺体１とに対しそれぞれ所定角度回転させて、第２バッテリユニット８を筺体１に対し所定角度傾けた状態で載置面Ｔ上に配置させることにより、筺体１を載置面Ｔの上方に浮かせた状態で第２の傾斜角度θ２で縦向きに配置させることができるので、筺体１を載置面Ｔの上方に浮かせた状態で、保持部材６によって筺体１を安定した状態で確実にかつ良好に縦向きに配置させることができる。
【００５８】
すなわち、この投影装置では、筺体１を縦向きに配置させる際に、第１バッテリユニット７における第１ヒンジ部１０を中心に第１バッテリユニット７を筺体１の裏面から離れる方向に所定角度、例えば約２５０度の角度、回転させ、この状態で第２ヒンジ部１１を中心に第２バッテリユニット８を第１バッテリユニット７に対して所定角度、例えば約１４０度の角度、回転させることができ、この状態で第２バッテリユニット８を載置面Ｔ上に配置させることにより、筺体１を載置面Ｔの上方に浮かせた状態で、保持部材６によって筺体１を安定した状態で確実にかつ良好に縦向きに配置させることができる。
【００５９】
この場合、この投影装置では、筺体１を第１の傾斜角度θ１で横向きに配置させた際に、第２バッテリユニット８を筺体１の裏面に係止させる係止部１３を備えていることにより、第２バッテリユニット８を係止部１３に係止させると、第１バッテリユニット７に対する第２バッテリユニット８の回転角度を規制することができると共に、この第２バッテリユニット８によって第１バッテリユニット７の回転角度を規制することができ、これにより第１バッテリユニット７を筺体１の裏面に対して第１の傾斜角度θ１で傾斜させた状態で筺体１の裏面に確実にかつ良好に固定させることができる。
【００６０】
すなわち、この投影装置では、筺体１を第１の傾斜角度θ１で横向きに配置させる際に、第１ヒンジ部１０を中心に第１バッテリユニット７を筺体１の裏面から離れる方向に回転させると共に、第２バッテリユニット８の先端部８ａを筺体１の裏面に接触させた状態で、第２ヒンジ部１１を中心に第２バッテリユニット８を第１バッテリユニット７に対して回転させることにより、第２バッテリユニット８の先端部８ａを筺体１の裏面に沿って移動させることができ、これにより第２バッテリユニット８の先端部８ａを筺体１の係止部１３に簡単にかつ確実に係止させることができる。
【００６１】
また、この投影装置では、筺体１を載置面Ｔ上に第２の傾斜角度θ２で縦向きに配置させた際に、筺体１に対する第１バッテリユニット７の回転角度を規制する第１規制部１４と、第１バッテリユニット７に対する第２バッテリユニット８の回転角度を規制する第２規制部１５と、を備えていることにより、第１バッテリユニット７を筺体１の第１規制部１４に当接させて回転位置を確実に規制することができると共に、第２バッテリユニット８を第１バッテリユニット７の第２規制部１５に当接させて回転位置を確実に規制することができる。
【００６２】
すなわち、この投影装置では、第１ヒンジ部１０を中心に第１バッテリユニット７を筺体１の裏面に対して約２５０度回転させると、第１バッテリユニット７が筺体１の第１規制部１４に当接して第１バッテリユニット７の回転位置を規制することができ、また第２ヒンジ部１１を中心に第２バッテリユニット８を第１バッテリユニット７に対して約１４０度回転させると、第２バッテリユニット８が第１バッテリユニット７の第２規制部１５に当接して第２バッテリユニット８の回転位置を規制することができるので、筺体１を載置面Ｔの上方に浮かせた状態で、保持部材６によって筺体１を安定した状態で確実にかつ良好に縦向きに配置させることができる。
【００６３】
また、この投影装置では、保持部材６が、筺体１に回転可能に取り付けられた第１バッテリユニット７と、この第１バッテリユニット７に回転可能に取り付けられた第２バッテリユニット８とで構成されていることにより、筺体１内にバッテリを組み込む必要ないので、装置全体をコンパクトに構成することができると共に、第１バッテリユニット７と第２バッテリユニット８とで筺体１内の回路部（図示せず）に確実にかつ良好に電源を供給することができる。
【００６４】
さらに、この投影装置では、筺体１を載置面Ｔ上に第２の傾斜角度θ２で縦向きに配置させた際に、スイッチ動作するスイッチ部１６を備えていることにより、このスイッチ部１６によって投影部４による投影画像の向きおよび焦点距離を筺体１の横向き状態と縦向き状態とに自動的に切り替えることができる。
【００６５】
すなわち、この投影装置では、スイッチ部１６が投影部４による投影画像の向きおよび焦点距離を筺体１の横向き状態から筺体１の縦向き状態に自動的に切り替えることにより、筺体１が縦向き状態のときに、載置面Ｔと同じ水平面上に投影された画像を筺体１の横向き状態のときに対して上下左右逆転させて小さく投影させることができる。
【００６６】
この場合、この投影装置では、筺体１が横向き状態で壁やスクリーンなどの垂直面Ｓに投影された画像に対して、例えば、各対角線ＤＡ・ＣＢを反転させて短い長さで、投影部４による画像を載置面Ｔと同じ水平面上に投影させることができるので、使用者が、投影画像を挟んで筺体１と反対側から載置面Ｔと同じ水平面上に投影された画像を良好に見ることができる。
【００６７】
なお、上述した実施形態では、第１バッテリユニット７と第２バッテリユニット８との回転位置を係止部１３、第１規制部１４、第２規制部１５とによって規制する場合について述べたが、この発明はこれに限らず、例えば第１ヒンジ部１０と第２ヒンジ部１１との各回転トルクに負荷を付与することにより、第１バッテリユニット７と第２バッテリユニット８とを任意の回転角度で保持するように構成しても良い。
【００６８】
また、上述した実施形態では、保持部材６を第１バッテリユニット７と第２バッテリユニット８とで構成した場合について述べたが、この発明はこれに限らず、筺体１内にバッテリを組み込んだ構成で、保持部材６を平板状の第１保持板と平板状の第２保持板とで構成しても良い。
【００６９】
また、上述した実施形態では、筺体１内に投影部４を設けた場合について述べたが、この発明は必ずしも投影装置４を備えた構成である必要はなく、例えば光を照射する光源部を備えた構成であっても良い。
【００７０】
さらに、上述した実施形態では、投影装置に適用した場合について述べたが、この発明は必ずしも投影装置である必要はなく、例えば照明装置などの電子機器にも適用することができる。
【００７１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７２】
（付記）
請求項１に記載の発明は、光を放射する光源部を備えた筺体と、前記筺体に取り付けられ、前記筺体を載置面上に第１の傾斜角度で横向きに配置し、かつ前記筺体を前記載置面の上方に浮かせた状態で前記筺体を前記載置面に対して第２の傾斜角度で縦向きに配置する保持部材と、を備えていることを特徴とする投影装置である。
【００７３】
請求項２に記載の発明は、請求項１に記載の投影装置において、前記光源部は、前記筺体内に設けられて画像を投影する投影部の光源であり、前記投影部は、前記筺体が前記載置面上に前記保持部材によって前記第１の傾斜角度で横向きに配置された際に、前記載置面とほぼ直交する垂直面に画像を投影し、前記筺体が前記載置面の上方に前記保持部材によって前記第２の傾斜角度で縦向きに配置された際に、前記載置面とほぼ平行な面に画像を投影することを特徴とする投影装置である。
【００７４】
請求項３に記載の発明は、請求項２に記載の投影装置において、前記筺体に設けられて前記投影部を開閉可能に覆う蓋体を備え、前記蓋体を開いた状態で前記投影部の画像を前記蓋体の開放側に向けて投影させることを特徴とする投影装置である。
【００７５】
請求項４に記載の発明は、請求項１〜請求項３のいずれかに記載の投影装置において、前記保持部材は、前記筺体に回転可能に取り付けられた第１の保持部と、前記第１の保持部に回転可能に取り付けられた第２の保持部と、を備え、前記第１の保持部と前記第２の保持部とが前記光源部の光照射方向と反対側に位置する前記筺体の裏面に並んで配置されることを特徴とする投影装置である。
【００７６】
請求項５に記載の発明は、請求項４に記載の投影装置において、前記保持部材は、前記第１の保持部を前記筺体に対し所定角度回転させて前記載置面上に配置させることにより、前記筺体を前記載置面に対して前記第１の傾斜角度で横向きに配置させ、かつ前記第１の保持部を前記第２の保持部と前記筺体とに対しそれぞれ所定角度回転させて、前記第２の保持部を前記筺体に対し所定角度傾けた状態で前記載置面上に配置させることにより、前記筺体を前記載置面の上方に浮かせた状態で前記第２の傾斜角度で縦向きに配置させることを特徴とする投影装置である。
【００７７】
請求項６に記載の発明は、請求項４または請求項５に記載の投影装置において、前記保持部材は、前記筺体を前記第１の傾斜角度で横向きに配置させた際に、前記第２の保持部を前記筺体の裏面に係止させる係止部と、前記筺体を前記載置面上に前記第２の傾斜角度で縦向きに配置させた際に、前記筺体に対する前記第１の保持部の回転角度を規制する第１の規制部と、前記第１の保持部に対する前記第２の保持部の回転角度を規制する第２の規制部と、を備えていることを特徴とする投影装置である。
【００７８】
請求項７に記載の発明は、請求項６に記載の投影装置において、前記第１の保持部は平板状の第１のバッテリユニットを含み、前記第２の保持部は平板状の第２のバッテリユニットを含むことを特徴とする投影装置である。
【符号の説明】
【００７９】
１  筺体
２  筺体保持装置
３  蓋体
４  投影部
６  保持部材
７  第１バッテリユニット（第１の保持部）
８  第２バッテリユニット（第２の保持部）
８ａ  先端部
１０  第１ヒンジ部
１１  第２ヒンジ部
１２  引掛け部
１３  係止部
１４  第１規制部
１５  第２規制部
１６  スイッチ部
Ｔ  載置面
Ｓ  垂直面
θ１  第１の傾斜角度
θ２  第２の傾斜角度
【図１】
2018101044.tif 000003
【図２】
2018101044.tif 000004
【図３】
2018101044.tif 000005
【図４】
2018101044.tif 000006
【図５】
2018101044.tif 000007
【図６】
2018101044.tif 000008